(57)【要約】【課題】  輝度ムラの発生等を防止する。【解決手段】  反射面を有する反射部材３２と、画像が表示される表示パネル１５と、該表示パネルと反射面の間に位置され該反射面へ向けて光を出射し反射面で反射された光をバックライトとして表示パネルに照射する光源３０とを設けた。【選択図】        図７
2008109355.tif 000002
【特許請求の範囲】
【請求項１】
撮像装置に設けられ内部に所定のレンズが配置されたビューファインダーであって、
反射面を有する反射部材と、
画像が表示される表示パネルと、
該表示パネルと反射面の間に位置され該反射面へ向けて光を出射し反射面で反射された光をバックライトとして表示パネルに照射する光源とを備えた
ことを特徴とするビューファインダー。
【請求項２】
上記反射部材を白色の材料によって形成した
ことを特徴とする請求項１に記載のビューファインダー。
【請求項３】
上記表示パネルを保持すると共に反射部材が取り付けられる保持フレームを設け、
該保持フレームに光源が取り付けられる光源取付部を一体に設けた
ことを特徴とする請求項１に記載のビューファインダー。
【請求項４】
上記光源を表示パネルの中央部に対向する位置に配置した
ことを特徴とする請求項３に記載のビューファインダー。
【請求項５】
上記表示パネルを保持すると共に反射部材が取り付けられる保持フレームを設け、
該保持フレームに反射面で反射された光を透過して表示パネルに導く透過孔を形成し、
保持フレームにおける透過孔の開口縁に光源を配置した
ことを特徴とする請求項１に記載のビューファインダー。
【発明の詳細な説明】
【技術分野】
【０００１】
本発明はビューファインダーについての技術分野に関する。詳しくは、光源から出射された光を反射させて表示パネルに照射して輝度ムラの発生等を防止する技術分野に関する。
【背景技術】
【０００２】
ビデオカメラ等の撮像装置には、撮影時に使用者が被写体を捉えるためのビューファインダーが設けられているものがある。このようなビューファインダーには、内部に所定のレンズ、表示パネル及びバックライトとしての光源が配置されている。
【０００３】
従来の撮像装置にあっては、バックライトとして用いられた光源から表示パネルへ向けて光が出射されて表示パネルに表示される画像が視認可能とされている（例えば、特許文献１参照）。
【０００４】
【特許文献１】特開２００１−３０５５３５号公報
【発明の開示】
【発明が解決しようとする課題】
【０００５】
ところが、特許文献１に記載された撮像装置にあっては、一部の光を除いて光源から表示パネルへ向けて直接光が出射されるため、表示パネルにおける光源に対向する部分の輝度が他の部分より高くなり、輝度ムラが発生し易い。
【０００６】
このような輝度ムラの発生を防止するために、複数のプリズムシートや拡散シート等を表示パネルと光源の間に配置する必要が生じており、各シートが必要となる分の製造コストの高騰を来たし、また、組付工程が必要とされる分の製造工程の複雑化を来たすという問題がある。
【０００７】
また、光源、例えば、発光ダイオード等が元来有している色ムラが表示パネルに反映されてしまい、各撮像装置毎に色調整を行う必要が生じる等の不具合が発生していた。
【０００８】
そこで、本発明ビューファインダーは、上記した問題点を克服し、輝度ムラの発生等を防止することを課題とする。
【課題を解決するための手段】
【０００９】
本発明ビューファインダーは、上記した課題を解決するために、反射面を有する反射部材と、画像が表示される表示パネルと、該表示パネルと反射面の間に位置され該反射面へ向けて光を出射し反射面で反射された光をバックライトとして表示パネルに照射する光源とを設けたものである。
【００１０】
従って、本発明ビューファインダーにあっては、光源から出射された光が反射面で反射されて表示パネルに入射される。
【発明の効果】
【００１１】
本発明ビューファインダーは、撮像装置に設けられ内部に所定のレンズが配置されたビューファインダーであって、反射面を有する反射部材と、画像が表示される表示パネルと、該表示パネルと反射面の間に位置され該反射面へ向けて光を出射し反射面で反射された光をバックライトとして表示パネルに照射する光源とを備えたことを特徴とする。
【００１２】
従って、光源から出射された光が反射部材で反射されて表示パネルへ向かうため、光が適度に拡散された状態で表示パネルに照射され、輝度ムラの発生を防止することができる。
【００１３】
請求項２に記載した発明にあっては、上記反射部材を白色の材料によって形成したので、光源から反射された光の反射率が高く、表示パネルに照射される光の利用効率の向上を図ることができる。
【００１４】
請求項３に記載した発明にあっては、上記表示パネルを保持すると共に反射部材が取り付けられる保持フレームを設け、該保持フレームに光源が取り付けられる光源取付部を一体に設けたので、保持フレームが表示パネルの保持、反射部材の取付及び光源の取付と言う複数の役割を果たし、部品点数の削減を図ることができる。
【００１５】
請求項４に記載した発明にあっては、上記光源を表示パネルの中央部に対向する位置に配置したので、光源から出射された光が偏りなく表示パネルに照射され、輝度ムラの発生を防止することができる。
【００１６】
請求項５に記載した発明にあっては、上記表示パネルを保持すると共に反射部材が取り付けられる保持フレームを設け、該保持フレームに反射面で反射された光を透過して表示パネルに導く透過孔を形成し、保持フレームにおける透過孔の開口縁に光源を配置したので、反射された光が遮蔽されることがなく、光源から出射された光が偏りなく表示パネルに照射され、輝度ムラの発生を防止することができる。
【発明を実施するための最良の形態】
【００１７】
以下に、本発明を実施するための最良の形態を添付図面に従って説明する。
【００１８】
以下に示した最良の形態は、本発明を撮像装置としてのビデオカメラに設けられたビューファインダーに適用したものである。尚、本発明の適用範囲はビデオカメラに設けられたビューファインダーに限られることはなく、被写体を撮影する各種の撮像装置に設けられたビューファインダーに広く適用することができる。
【００１９】
以下の説明にあっては、ビデオカメラの撮影時において撮影者（使用者）から見た方向で前後上下左右の方向を示すものとする。従って、被写体側を前方とし、撮影者側を後方とする。尚、以下に示す前後上下左右の方向は説明の便宜上のものであり、本発明の実施に関しては、これらの方向に限定されることはない。
【００２０】
撮像装置（ビデオカメラ）１は筐体２の内外に所要の各部が配置されて成る（図１参照）。
【００２１】
撮像装置１は、装置本体３と該装置本体３に開閉自在かつ回動自在に連結された表示部４と装置本体３の上方に設けられた把手５とを有している。
【００２２】
把手５の後端部にはビューファインダー６が回動自在に支持されている。ビューファインダー６は、例えば、前端部を支点として後端部が略上下へ移動する方向へ回動可能とされる。ビューファインダー６は、図２に示すように、例えば、本体部７と該本体部７に対して着脱可能とされた装着部８とから成る。
【００２３】
本体部７は、後方に開口された底の深い椀状に形成された外筐ホルダー９と該外筐ホルダー９の開口を閉塞するように配置された結合部材１０とを有している。
【００２４】
本体部７の内部には、結合部材１０の前側に支持ホルダー１１が配置されている（図３及び図４参照）。支持ホルダー１１は結合部材１０の前面に取り付けられ、横長の略楕円形状に形成された基面部１２と該基面部１２から前方へ突出された取付部１３と該取付部１３から前方へ突出された保持枠部１４とを有している。
【００２５】
取付部１３の前面には前後に貫通された視認孔１３ａが形成されている。取付部１３の前面における左右両端部からは、それぞれ前方へ突出された結合用突片１３ｂ、１３ｂが設けられている。
【００２６】
保持枠部１４は視認孔１３ａより一回り大きくされた横長の略矩形の枠状に形成され、左右両側面部がそれぞれ結合用突片１３ｂ、１３ｂの内側に位置され、上面部に前方に開口された挿通用切欠１４ａを有している。
【００２７】
保持枠部１４の内側には表示パネル１５が挿入されて配置される（図３乃至図５参照）。表示パネル１５は、例えば、液晶パネルであり、上面にフレキシブルプリント配線板である接続基板１６が接続されている。
【００２８】
表示パネル１５の前面には枠状のシート部材１７が配置される。シート部材１７はクッションの役割を果たす。
【００２９】
支持ホルダー１１には保持フレーム１８が取り付けられる。保持フレーム１８は、例えば、ポリカーボネート、ＡＢＳ（アクリロニトリル・ブタジエン・スチレン共重合樹脂）、ＡＳ（アクリロニトリル・スチレン共重合樹脂）等の白色の樹脂材料によって形成されている。
【００３０】
保持フレーム１８は、前後方向を向く横長の矩形の枠状に形成されたベース面部１９と、該ベース面部１９の左右両側縁からそれぞれ後方へ突出された側面部２０、２０と、ベース面部１９の下縁から後方へ突出された底面部２１とを有している。
【００３１】
ベース面部１９には、その外周寄りの部分から前方へ突出された枠状部２２が設けられている。枠状部２２の左右方向における中央部には上下に延びる光源取付部２２ａが設けられ、該光源取付部２２ａの左右の開口が前後に貫通された透過孔２２ｂ、２２ｂとして形成されている。枠状部２２の内周面２２ｃは後方へ行くに従って僅かに外方へ変位するように傾斜されている（図５参照）。
【００３２】
ベース面部１９には、枠状部２２の左右の位置からそれぞれ前方へ突出された係合突片２３、２３が設けられている（図３乃至図５参照）。
【００３３】
側面部２０、２０の外面にはそれぞれ外方へ突出された係止爪２０ａ、２０ａが設けられている。
【００３４】
側面部２０、２０の上端部からはそれぞれ後方へ向けて保持片２４、２４が突出されている。保持片２４、２４にはそれぞれ上方へ突出された基板用係合突片２５、２５が設けられている。
【００３５】
保持フレーム１８には、基板用係合突片２５、２５によって制御回路基板２６が取り付けられる。制御回路基板２６は部品実装面が上下方向を向いた状態で保持フレーム１８に取り付けられている。制御回路基板２６には、その上面に前後に離隔して第１のコネクター２７と第２のコネクター２８が実装されている。
【００３６】
保持フレーム１８は支持ホルダー１１に取り付けられる（図５参照）。保持フレーム１８は、支持ホルダー１１の保持枠部１４の内側に表示パネル１５及びシート部材１７が配置された状態において、係止爪２０ａ、２０ａがそれぞれ結合用突片１３ｂ、１３ｂに係止されることにより支持ホルダー１１に取り付けられる。
【００３７】
保持フレーム１８が支持ホルダー１１に取り付けられた状態においては、表示パネル１５及びシート部材１７がそれぞれ支持ホルダー１１の取付部１３の前面と保持フレーム１８のベース面部１９の後面とによって押さえられた状態で保持される。
【００３８】
保持フレーム１８が支持ホルダー１１に取り付けられた状態において、表示パネル１５に接続された接続基板１６が支持ホルダー１１の挿通用切欠１４ａから外方へ突出され制御回路基板２６の第１のコネクター２７に接続される。
【００３９】
保持フレーム１８の光源取付部２２ａの前面には、図４及び図５に示すように、光源用基板２９が取り付けられ、該光源用基板２９には、例えば、発光ダイオード（ＬＥＤ：Light Emitting Device）等の光源３０が搭載されている。光源３０は表示パネル１５の中央部の前方に位置される。光源３０からは前方へ向けて光が出射される。光源用基板２９には接続線３１、３１が接続されている。
【００４０】
保持フレーム１８には反射部材３２が取り付けられる（図３乃至図５参照）。反射部材３２は、例えば、ポリカーボネート、ＡＢＳ、ＡＳ等の白色の樹脂材料によって形成されている。反射部材３２は、図３乃至図６に示すように、横長の矩形の枠状に形成された基部３３と、該基部３３の外周縁から後方へ突出された外周部３４と、基部３３の内周縁から前方へ突出され後方に開口する箱状に形成された反射部３５とから成る。
【００４１】
外周部３４には、その上部に後方に開口された挿通用切欠３４ａが形成され、左右両側部の外面にそれぞれ取付用凹部３４ｂ、３４ｂが形成されている。
【００４２】
反射部３５は横長の略矩形状に形成された主反射面部３６と該主反射面部３６の外周部から後方へ突出された外周反射面部３７とを有し、主反射面部３６の左右方向における中央部には後方へ突出された突部３８が設けられている。
【００４３】
突部３８は上下に長く形成され、左右方向における中央が最後方に位置するように尖った形状に形成されている。従って、突部３８の内面は左右に連続した２つの傾斜面に形成され、これらが傾斜状反射面３８ａ、３８ａとされている。
【００４４】
主反射面部３６の内面のうち、傾斜状反射面３８ａ、３８ａの左右に連続した部分はそれぞれ後方を向く主反射面３６ａ、３６ａとされている。
【００４５】
外周反射面部３７の内面は後方へ行くに従って僅かに外方へ変位する外周側反射面３７ａとして形成されている。
【００４６】
反射部材３２は取付用凹部３４ｂ、３４ｂにそれぞれ係合突片２３、２３が係合されることにより保持フレーム１８に取り付けられる（図５参照）。
【００４７】
反射部材３２が保持フレーム１８に取り付けられた状態においては、光源３０が突部３８の直ぐ後側に位置される。反射部材３２の外周側反射面３７ａと保持フレーム１８の枠状部２２における内周面２２ｃは、上記したように、ともに後方へ行くに従って僅かに外方へ変位するように傾斜され、反射部材３２が保持フレーム１８に取り付けられた状態において連続して位置される。反射部材３２が保持フレーム１８に取り付けられた状態において、光源用基板２９に接続された接続線３１、３１が反射部材３２の挿通用切欠３４ａから外方へ突出され制御回路基板２６に接続される（図３及び図４参照）。
【００４８】
尚、制御回路基板２６の第２のコネクター２８には、制御回路基板２６への電源の供給等を行うための図示しない接続線が接続される。
【００４９】
上記のように構成されたビューファインダー６において、光源３０から前方へ向けて光が出射されると、図７に示すように、出射された光は反射部材３２の傾斜状反射面３８ａ、３８ａ、主反射面３６ａ、３６ａ、外周側反射面３７ａ、保持フレーム１８の内周面２２ｃで反射され、保持フレーム１８に形成された透過孔２２ｂ、２２ｂ及びシート部材１７の内側を通って表示パネル１５に前方から照射される。
【００５０】
以上に記載した通り、ビューファインダー６にあっては、光源３０から出射された光が反射部材３２で反射されて表示パネル１５へ向かうため、光が適度に拡散された状態で表示パネル１５に照射され、輝度ムラの発生を防止することができる。
【００５１】
また、表示パネル１５と光源３０の間に輝度ムラの発生を防止するためのプリズムシートや拡散シート等を配置する必要がないため、製造コストの低減を図ることができると共に各シートの組付工程が不要となることによる製造工程の簡素化を図ることができる。
【００５２】
さらに、発光ダイオード等の光源３０が元来有している色ムラが表示パネル１５に反映され難くなり、各撮像装置毎に行う色調整を省略することができる。
【００５３】
さらにまた、ビューファインダー６にあっては、反射部材３２を白色の材料によって形成しているため、光源３０から反射された光の反射率が高く、表示パネル１５に照射される光の利用効率の向上を図ることができ、また、表面に反射用のコーティング等の処理を行う必要がなく製造コストの低減を図ることができる。
【００５４】
また、ビューファインダー６には、表示パネル１５を保持すると共に反射部材３２が取り付けられる保持フレーム１８を設け、該保持フレーム１８に光源３０が取り付けられる光源取付部２２ａを設けているため、保持フレーム１８が表示パネル１５の保持、反射部材３２の取付及び光源３０の取付と言う複数の役割を果たし、部品点数の削減を図ることができる。
【００５５】
加えて、光源３０が表示パネル１５の中央部に対応する位置に配置されているため、光源３０から出射された光が偏りなく表示パネル１５に照射され、輝度ムラの発生を防止することができる。
【００５６】
以下に、保持フレーム及び反射部材の変形例について説明する（図８乃至図１１参照）。この変形例に係る保持フレーム１８Ａは上記した保持フレーム１８と比較して、枠状部の上下両部を連結する光源取付部が設けられていないことのみが相違し、変形例に係る反射部材３２Ａは上記した反射部材３２と比較して、反射面の形状が異なることのみが相違するため、保持フレーム１８及び反射部材３２と比較して異なる部分についてのみ詳細に説明をし、その他の部分については保持フレーム１８及び反射部材３２における同様の部分に付した符号と同じ符号を付して説明は省略する。
【００５７】
保持フレーム１８Ａは、例えば、ポリカーボネート、ＡＢＳ、ＡＳ等の白色の樹脂材料によって形成されている。保持フレーム１８Ａは、ベース面部１９と側面部２０、２０と底面部２１とを有し、ベース面部１９には枠状部２２Ａが設けられている。枠状部２２Ａの内側の開口は前後に貫通された透過孔２２ｄとして形成されている。枠状部２２Ａの上部には前方に開口された配置凹部２２ｅが形成されている。配置凹部２２ｅには光源３０が搭載された光源用基板２９が配置されて取り付けられている。
【００５８】
保持フレーム１８Ａには反射部材３２Ａが取り付けられる。反射部材３２Ａは、例えば、ポリカーボネート、ＡＢＳ、ＡＳ等の白色の樹脂材料によって形成されている。反射部材３２Ａは、図９に示すように、上方に開口されたコ字状に形成された基部３９と、該基部３９を外側から囲むように枠状に形成された外周部４０と、基部３９の内周縁及び外周部４０における上部の後縁から前方へ突出され後方に開口した箱状に形成された反射部４１とから成る。
【００５９】
外周部４０は、上下で対向して位置された上板部４２、下板部４３と左右で対向して位置された側板部４４、４４とから成り、上板部４２には後方に開口された挿通用切欠４２ａが形成され、側板部４４、４４の外面にそれぞれ取付用凹部４４ａ、４４ａが形成されている。
【００６０】
反射部４１の内面は、横長の略矩形状に形成され後方を向く平反射面４５と、該平反射面４５の上側に連続して位置された緩斜反射面４６、４７と、平反射面４５の下側に連続して位置された傾斜反射面４８と、緩斜反射面４６、４７の上側に連続して位置された急斜反射面４９と、平反射面４５と緩斜反射面４６、４７と傾斜反射面４８と急斜反射面４９の左右にそれぞれ連続して位置された側反射面５０、５０とによって構成されている。
【００６１】
緩斜反射面４６、４７は上方へ行くに従って後方へ変位するように緩やかに傾斜されると共に両者の連続部分を基準として側方へ行くに従って前方へ変位するように緩やかに傾斜されている。
【００６２】
傾斜反射面４８は上下方向における幅が平反射面４５より大きく形成され、下方へ行くに従って後方へ変位するように傾斜され、下縁が基部３９に連続されている。
【００６３】
急斜反射面４９は上方へ行くに従って後方へ変位するように急激に傾斜され、上縁が上板部４２の前縁に連続されている。
【００６４】
側反射面５０、５０は後方へ行くに従って外方へ変位するように緩やかに傾斜され、後縁がそれぞれ基部３９に連続されている。
【００６５】
反射部材３２Ａは取付用凹部４４ａ、４４ａにそれぞれ係合突片２３、２３が係合されることにより保持フレーム１８Ａに取り付けられる。
【００６６】
反射部材３２Ａが保持フレーム１８Ａに取り付けられた状態においては、光源３０が緩斜反射面４６、４７の連続部分における後側に位置される。光源用基板２９に接続された接続線３１、３１は反射部材３２Ａの挿通用切欠４２ａから外方へ突出され制御回路基板２６に接続される。
【００６７】
光源３０から前方へ向けて光が出射されると、図１０及び図１１に示すように、出射された光は反射部材３２Ａの平反射面４５、緩斜反射面４６、４７、傾斜反射面４８、急斜反射面４９、側反射面５０、５０及び保持フレーム１８Ａの枠状部２２Ａの内周面２２ｃで反射され、保持フレーム１８Ａに形成された透過孔２２ｃ及びシート部材１７の内側を通って表示パネル１５に前方から照射される。
【００６８】
このように保持フレーム１８Ａ及び反射部材３２Ａを用いた場合においても、光源３０から出射された光が反射部材３２Ａで反射されて表示パネル１５へ向かうため、光が適度に拡散された状態で表示パネル１５に照射され、輝度ムラの発生を防止することができる。
【００６９】
また、保持フレーム１８Ａには反射された光の経路上に光源取付部が設けられていないため、反射された光が遮蔽されることがなく、光源３０から出射された光が偏りなく表示パネル１５に照射され、輝度ムラの発生を防止することができる。
【００７０】
尚、本発明は、バックライト（光源）から出射された光を表示パネルに照射するタイプの各種の直視型の画像表示装置に適用することが可能である。
【００７１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７２】
【図１】図２乃至図１１と共に本発明の最良の形態を示すものであり、本図は、ビューファインダーが設けられた撮像装置の斜視図である。
【図２】ビューファインダーを本体部と装着部を分離した状態で示す斜視図である。
【図３】ビューファインダーの一部を示す分解斜視図である。
【図４】図３とは別の方向から見た状態で示すビューファインダーの一部を示す分解斜視図である。
【図５】要部の拡大断面図である。
【図６】反射部材の拡大斜視図である。
【図７】光路を示す拡大断面図である。
【図８】図９乃至図１１と共に保持フレーム及び反射部材の変形例を示すものであり、本図は、保持フレームと反射部材を示す拡大分解斜視図である。
【図９】反射部材の拡大斜視図である。
【図１０】光路を示す拡大水平断面図である。
【図１１】光路を示す拡大垂直断面図である。
【符号の説明】
【００７３】
１…撮像装置、６…ビューファインダー、１５…表示パネル、１８…保持フレーム、２２ｂ…透過孔、３０…光源、３２…反射部材、１８Ａ…保持フレーム、２２ｄ…透過孔、３２Ａ…反射部材
【図１】
2008109355.tif 000003
【図２】
2008109355.tif 000004
【図３】
2008109355.tif 000005
【図４】
2008109355.tif 000006
【図５】
2008109355.tif 000007
【図６】
2008109355.tif 000008
【図７】
2008109355.tif 000009
【図８】
2008109355.tif 000010
【図９】
2008109355.tif 000011
【図１０】
2008109355.tif 000012
【図１１】
2008109355.tif 000013